(57)【要約】【課題】小型でコンパクトな構成の鋏式の記録紙切断装置が組み込まれたプリンタを提案すること。【解決手段】ロール紙プリンタ１は、記録紙排出口５の内側に、固定刃２１および可動刃２２を備えた記録紙切断装置２０を備えおり、固定刃２１は刃先２１ａが前向きのほぼ水平姿勢でプリンタ本体２に取り付けられている。刃先２１ａの下側には、可動刃２２が刃先２２ａを上に向けたほぼ垂直な姿勢で、開閉蓋ユニット３に取り付けられている。固定刃２１、可動刃２２を上下方向に沿って対向配置した構成の記録紙切断装置に比べてプリンタ高さ寸法の増加を抑制できるので、小型でコンパクトなロール紙プリンタを実現できる。【選択図】図４
2011194568.tif 000002
【特許請求の範囲】
【請求項１】
固定刃と、
可動刃と、
前記可動刃を移動させる可動刃駆動機構とを有し、
前記可動刃および前記固定刃はほぼ直交する状態に配置され、
前記可動刃の刃先および前記固定刃の刃先は、それらの切り始め端の側において当接しており、
前記駆動機構は、前記固定刃の刃先と前記可動刃の刃先の当接位置が、これらの刃先における紙切り終わり端に向かって移動するように、前記可動刃を、その紙切り始め側の端部を中心として旋回させることを特徴とする紙切断装置。
【請求項２】
請求項１において、
前記固定刃は前記可動刃に対してほぼ直交する方向に移動可能であり、
当該固定刃は前記可動刃に向けて付勢部材によって付勢されていることを特徴とする紙切断装置。
【請求項３】
請求項２において、
前記付勢部材による前記固定刃の付勢位置は、当該固定刃の刃先に沿った方向から見た場合に、当該固定刃の刃先における紙切り終わり端から外れた位置であることを特徴とする紙切断装置。
【請求項４】
プリンタ本体と、
このプリンタ本体に開閉可能に取り付けられている開閉蓋ユニットと、
前記プリンタ本体の側に取り付けられている固定刃、前記開閉蓋ユニットに取り付けられている可動刃、および前記開閉蓋ユニットに取り付けられている可動刃駆動機構を備えた記録紙切断装置とを有し、
この記録紙切断装置は、請求項１に記載の紙切断装置であることを特徴とするプリンタ。
【請求項５】
請求項４において、
前記開閉蓋ユニットは、その下端部を中心として、ほぼ垂直に起立した閉じ位置からプリンタ前方あるいは後方に所定角度だけ開いた開き位置まで開くことが可能であり、
前記記録紙切断装置の前記可動刃は、前記開閉蓋ユニットの上端部において、刃先が上向きのほぼ垂直な姿勢でプリンタ幅方向に配列されており、
前記記録紙切断装置の前記固定刃は、前記開閉蓋ユニットの前記上端部に対峙する前記プリンタ本体の上端部においてほぼ水平な姿勢でプリンタ幅方向に配列されていることを特徴とするプリンタ。
【請求項６】
請求項５において、
前記固定刃は前記可動刃に対してプリンタ前後方向に移動可能であり、
当該固定刃は前記可動刃に向けて付勢部材によって付勢されていることを特徴とするプリンタ。
【請求項７】
請求項６において、
前記付勢部材による前記固定刃の付勢位置は、当該固定刃の刃先に沿った方向から見た場合に、当該固定刃の刃先における紙切り終わり端から外れた位置であることを特徴とするプリンタ。
【請求項８】
請求項６または７において、
前記開閉ユニットの開き動作に連動して、前記付勢部材の付勢力に抗して、前記固定刃を前記可動刃から離れる方向に退避させる固定刃退避機構を有していることを特徴とするプリンタ。
【請求項９】
請求項８において、
前記固定刃が取り付けられている固定刃取付板と、
この固定刃取付板を支持している旋回板とを有し、
前記旋回板は、その下端部を中心としてプリンタ前後方向に旋回可能な状態で、前記プリンタ本体に取り付けられ、前記可動刃に対してほぼ直交するプリンタ前後方向に揺動可能な上端部に前記固定刃取付板が取り付けられており、
前記付勢部材は前記固定刃取付板を付勢しており、
前記固定刃退避機構は、前記開閉ユニットに取り付けた係合部と、前記旋回板に取り付けた被係合部とを備え、前記開閉ユニットの開き動作に連動して、前記係合部が前記被係合部を押して、前記旋回板の上端部に取り付けられている前記固定刃取付板が前記可動刃から離れる方向に、当該旋回板を強制的に旋回させることを特徴とするプリンタ。
【発明の詳細な説明】
【技術分野】
【０００１】
本発明は紙切断装置において、特に、ロール紙プリンタ（ロール紙印刷用プリンタ）などのプリンタに、その寸法増加を招くことなく組み込むことのできる紙切断装置とプリンタに関するものである。
【背景技術】
【０００２】
ロールに巻かれたテープ状の記録紙（ロール紙）に印刷を行うプリンタでは、印刷された記録紙を所定の長さに切断してレシートなどとして発行できるように、記録紙排出口に記録紙切断装置が組み込まれているのが一般的である。記録紙切断装置としては、固定刃および可動刃からなるいわゆる鋏式のものが知られている。特許文献１には鋏式の記録紙切断装置が開示されており、特許文献２には鋏式の記録紙切断装置が組み込まれているロール紙プリンタが開示されている。
【０００３】
特許文献２に開示のプリンタでは、ロール紙を収納するための収納部を開閉するための開閉蓋の側に固定刃が搭載され、プリンタ本体側に可動刃が搭載されている。開閉蓋を開くと可動刃および固定刃も離れて、ロール紙の収納部から印刷位置および記録紙切断位置を経て記録紙排出口に到る経路が開放状態になる。
【０００４】
ここで、鋏式の記録紙切断装置の固定刃および可動刃は、プリンタ上下方向、あるいはプリンタ前後方向から対向配置され、それらの刃先が点接触状態に保持される。また、可動刃を、その記録紙切り始め側の端部を中心として旋回させることにより、両刃先の点接触位置を記録紙切り始め側の端から切り終わり側の端まで移動させ、これらの刃先の間に位置している記録紙の部位を切断するようになっている。
【先行技術文献】
【特許文献】
【０００５】
【特許文献１】特開平８−３０９６８９号公報
【特許文献２】特開平９−２５４４７４号公報
【発明の概要】
【発明が解決しようとする課題】
【０００６】
このように鋏式の記録紙切断装置では、固定刃および可動刃の対向方向であるプリンタ上下あるいは前後方向に、これらの双方を配置するためのスペースを確保する必要がある。また、可動刃を移動させるためのスペースも必要である。したがって、鋏式の記録紙切断装置を組み込むためのスペースを確保するために、プリンタの寸法増加を抑制できないという問題点がある。特に、記録紙排出口がプリンタの上端部において前方あるいは後方に向いている場合には、そこに上下方向に固定刃および可動刃が対向配置された記録紙切断装置を組み込むと、プリンタ上下方向の寸法が増加してしまう。
【０００７】
本発明の課題は、このような点に鑑みて、小型でコンパクトな構成の鋏式の紙切断装置を提案することにある。
【０００８】
また、本発明の課題は、寸法増加を招くことなく、鋏式の記録紙切断装置が組み込まれているプリンタを提案することにある。
【課題を解決するための手段】
【０００９】
上記の課題を解決するために、本発明の鋏式の紙切断装置は、
固定刃と、
可動刃と、
前記可動刃を移動させる可動刃駆動機構とを有し、
前記可動刃および前記固定刃はほぼ直交する状態に配置され、
前記可動刃の刃先および前記固定刃の刃先は、それらの切り始め側の端において当接しており、
前記駆動機構は、前記固定刃の刃先と前記可動刃の刃先の当接位置が、これらの刃先における紙切り終わり端に向かって移動するように、前記可動刃を、その紙切り始め側の端部を中心として旋回させることを特徴としている。
【００１０】
本発明では、固定刃と可動刃がほぼ直交する姿勢で配置されているので、これらを対向配置する場合に比べて、これら両刃の設置スペースが少なくて済む。よって、全体として小型でコンパクトな紙切断装置を実現できる。また、固定刃および可動刃を対向配置して、それらの刃先側の部分を厚さ方向に重ねた状態（並び位置）で両刃先を当接させる場合には、両刃先が適切な接触角度で点接触状態しながら記録紙を切断するために、固定刃および可動刃に対して、それらの刃先の方向に沿って全体的に反りが生ずるように湾曲させる必要がある。本発明では、ほぼ直交する方向から両刃先を点接触状態で押し当てるようにしているので、平坦な板状の固定刃および可動刃を用いて、それらの刃先を適切な接触角度で接触させて記録紙を切断することができる。よって、両刃に反りを入れる工程が不要となるので、製造コストも低減できる。
【００１１】
次に、本発明の紙切断装置は、前記固定刃は前記可動刃に対してほぼ直交する方向に移動可能であり、当該固定刃は前記可動刃に向けて付勢部材によって付勢されていることを特徴としている。可動刃が固定刃にかじり付いてしまうことを回避できるので、円滑な紙切断動作を確保できる。
【００１２】
また、本発明の紙切断装置では、前記付勢部材による前記固定刃の付勢位置は、当該固定刃の刃先に沿った方向から見た場合に、当該固定刃の刃先における紙切り終わり端から外れた位置であることを特徴としている。紙切り始め端から紙切り終わり端の間において固定刃を付勢していると、両刃先による紙切断位置（両刃先の当接位置）が付勢位置の前か後かに応じて固定刃に当初と逆向きの回転モーメントが発生する。このため、紙切断位置が付勢位置を通過する際に固定刃にガタツキが発生し、切断線が乱れるなどの弊害が起きるおそれがある。本発明ではこのような弊害が発生せずに、切断線に乱れが生ずることなく、紙を切断することができる。
【００１３】
次に、本発明のプリンタは、
プリンタ本体と、
このプリンタ本体に開閉可能に取り付けられている開閉蓋ユニットと、
前記プリンタ本体の側に取り付けられている固定刃、前記開閉蓋ユニットに取り付けられている可動刃、および前記開閉蓋ユニットに取り付けられている可動刃駆動機構を備えた記録紙切断装置とを有し、
この記録紙切断装置は、
固定刃と、
可動刃と、
前記可動刃を移動させる可動刃駆動機構とを有し、
前記可動刃および前記固定刃はほぼ直交する状態に配置され、
前記可動刃の刃先および前記固定刃の刃先は、それらの切り始め側の端において当接しており、
前記可動刃駆動機構は、前記固定刃の刃先と前記可動刃の刃先の当接位置が、これらの刃先における紙切り終わり端に向かって移動するように、前記可動刃を、その紙切り始め側の端部を中心として旋回させることを特徴としている。
【００１４】
本発明のプリンタでは、ほぼ直交する姿勢で配置されている固定刃および可動刃を備えた記録紙切断装置が組み込まれている。この記録紙切断装置は、両刃が対向配置されている記録紙切断装置に比べて小型でコンパクトに構成できるので、搭載スペースが少なくて済む。よって、本発明の記録紙切断装置を搭載したプリンタは設置スペースが少なくて済むので、小型でコンパクトに構成できる。
【００１５】
また、本発明のプリンタでは、前記開閉蓋ユニットは、その下端部を中心として、ほぼ垂直に起立した閉じ位置からプリンタ前方あるいは後方に所定角度だけ開いた開き位置まで開くことが可能であり、前記記録紙切断装置の前記可動刃は、前記開閉蓋ユニットの上端部において、刃先が上向きのほぼ垂直な姿勢でプリンタ幅方向に配列されており、前記記録紙切断装置の前記固定刃は、前記開閉蓋ユニットの前記上端部に対峙する前記プリンタ本体の上端部においてほぼ水平な姿勢でプリンタ幅方向に配列されていることを特徴としている。
【００１６】
この構成のプリンタでは、記録紙切断装置における上下方向の寸法が少なくて済むので、プリンタ上下方向の寸法の増加を抑制でき、従来に比べて、高さ寸法を小さくできる。
【００１７】
次に、本発明のプリンタでは、前記固定刃は前記可動刃に対してプリンタ前後方向に移動可能であり、当該固定刃は前記可動刃に向けて付勢部材によって付勢されていることを特徴としている。
【００１８】
また、前記付勢部材による前記固定刃の付勢位置は、当該固定刃の刃先に沿った方向から見た場合に、当該固定刃の刃先における紙切り終わり端から外れた位置であることを特徴としている。
【００１９】
さらに、前記開閉蓋ユニットの開き動作に連動して、前記付勢部材の付勢力に抗して、前記固定刃を前記可動刃から離れる方向に退避させる固定刃退避機構を有していることを特徴としている。開閉蓋ユニットを開けた場合に、プリンタ本体の上端部に取り付けられている固定刃の刃先が露出状態になる。したがって、固定刃退避機構によって固定刃を退避させることにより、その刃先に操作者の指が触れない状態を形成できる。
【００２０】
ここで、本発明のプリンタは次の構成を採用することができる。すなわち、前記固定刃が取り付けられている固定刃取付板と、この固定刃取付板を支持している旋回板とを有し、前記旋回板は、その下端部を中心としてプリンタ前後方向に旋回可能な状態で、前記プリンタ本体に取り付けられ、前記可動刃に対してほぼ直交するプリンタ前後方向に揺動可能な上端部に前記固定刃取付板が取り付けられており、前記付勢部材は、前記固定刃取付板を付勢しており、前記固定刃退避機構は、前記開閉蓋ユニットに取り付けた係合部と、前記旋回板に取り付けた被係合部とを備え、前記開閉蓋ユニットの開き動作に連動して、前記係合部が前記被係合部を押して、前記旋回板の上端部に取り付けられている前記固定刃取付板が前記可動刃から離れる方向に、当該旋回板を強制的に旋回させるようになっている。
【発明の効果】
【００２１】
本発明の鋏式の紙切断装置では、その固定刃および可動刃がほぼ直交する姿勢で配置され、それらの刃先が直交する方向から当接している。したがって、固定刃および可動刃を対向配置し、それらの厚さ方向から刃先を当接させている従来の鋏式の紙切断装置に比べて、小型でコンパクトに構成できる。
【００２２】
また、ほぼ直交する方向から刃先を当接させているので、固定刃および可動刃に反りを付けることなく、適切な接触角度で両刃先の接触状態を形成できる。よって、両刃の製造が容易になり、それらの製造コストの低減および製造品質の向上を達成できる。
【００２３】
次に、本発明のプリンタでは、そこに組み込まれている記録紙切断装置の搭載スペースが少なくて済むので、記録紙切断装置を組み込むことに起因する装置寸法の増加を抑制でき、小型でコンパクトに構成できる。
【００２４】
また、固定刃および可動刃は、それらの厚さ方向に重なった状態で両刃先が接触している場合とは異なり、ほぼ直交する方向から当接しているので、紙の切断途中において可動刃が停止した状態においても開閉蓋ユニットを開けることができるように、双方の刃を配置することが極めて容易である。
【００２５】
さらに、開閉蓋ユニットの開き動作に連動してプリンタ本体に取り付けられている固定刃が退避するので、開閉蓋ユニットが開いた状態において、操作者の指先が固定刃の刃先に触れて怪我をしてしまうなどの弊害も回避できる。
【図面の簡単な説明】
【００２６】
【図１】本発明を適用したロール紙プリンタの外観斜視図である。
【図２】ロール紙プリンタの開閉蓋を開けた状態での外観斜視図である。
【図３】ロール紙プリンタの内部構造を示す概略構成図である。
【図４】ロール紙プリンタのプリンタ本体および開閉蓋ユニットの斜視図、平面図および側面図である。
【図５】ロール紙プリンタの記録紙切断装置の動作説明図である。
【図６】ロール紙プリンタの記録紙切断装置の動作説明図である。
【図７】ロール紙プリンタの固定刃退避機構を示す説明図である。
【発明を実施するための形態】
【００２７】
以下に、図面を参照して、本発明を適用したプリンタの実施の形態を説明する。
【００２８】
（全体構成）
図１は本発明を適用したロール紙プリンタの外観斜視図であり、図２はその開閉蓋ユニットを開けた状態を示す外観斜視図である。
【００２９】
本実施の形態に係るサーマルプリンタ１は、プリンタ本体２と、その前面に取り付けた開閉蓋ユニット３を有しており、プリンタ本体２の前面の端には操作パネルユニット４が取り付けられている。プリンタ前面における開閉蓋ユニット３の上端部分には、プリンタ幅方向に延びる記録紙排出口５が形成されている。
【００３０】
プリンタ本体２は、前面および底面が開口した前後に長いボックス形状の本体ケース６によって覆われている。開閉蓋ユニット３の前面には、プリンタ前面を規定している開閉蓋ケース７が取り付けられている。開閉蓋ユニット３は、操作パネルユニット４に配置されている操作レバー８を操作すると、不図示の蓋ロックが解除されて下端部を中心として前方に開くようになっている。開閉蓋ユニット３が開くと、内部に形成されているロール紙収納部９が露出し、ロール紙１０の交換作業などを行うことができる。操作パネルユニット４の前面には、ＬＥＤなどからなる状態表示ランプ群４ａ、フィードボタン４ｂ、電源スイッチ４ｃが配置されている。
【００３１】
図３はサーマルプリンタ１の内部を示す概略構成図である。サーマルプリンタ１の内部には、プリンタ幅方向に延びる円弧状の紙案内下１２、紙案内上１３および紙案内前１４によって囲まれたロール紙収納部９が形成されている。ここには、転動自在の状態でロール紙１０が収納され、ここから繰り出されるテープ状の記録紙１０ａは、プラテンローラ１５と、サーマルヘッド１６の間の印刷位置を通過して前方に引き出されて、その前方に位置している記録紙排出口５から前方に排出される。
【００３２】
記録紙排出口５は、本体ケース６の天板部分６ａの前端縁６ｂと、この下側に位置している開閉蓋ケース７の円弧状の天板部分７ａの間に形成されている。この記録紙排出口５の手前には鋏式の記録紙切断装置２０が配置されている。
【００３３】
記録紙切断装置２０は、プリンタ本体２の側に搭載されている固定刃２１と、開閉蓋ユニット３の側に搭載されている可動刃２２および可動刃駆動機構２３とを有している。固定刃２１は刃先２１ａが前方を向く略水平な姿勢で、プリンタ幅方向に配列されている。可動刃２２は、固定刃２１の刃先２１ａのほぼ真下の位置において、刃先２２ａが上を向く略垂直な姿勢で、プリンタ幅方向に配列されている。これらの刃先２１ａ、２２ａの間（記録紙切断位置）を通って記録紙１０ａが排出された状態において、下側の可動刃２２を上方に旋回させることにより、両刃先２１ａ、２２ａによって記録紙１０ａの部位を挟みながらプリンタ幅方向に切断する。
【００３４】
上記のように、開閉蓋ユニット３には、ロール紙収納部９の紙案内前１４およびプラテンローラ１５と、記録紙切断装置２０の可動刃２２が搭載されている。したがって、開閉蓋ユニット３を閉じ位置３Ａから開き位置３Ｂに開くと、図２に示すように、ロール紙収納部９が開放状態となると共に、ロール紙収納部９から印刷位置および切断位置を経由して記録紙排出口５に到る記録紙搬送路が開放状態になる。したがって、ロール紙収納部９に収納されたロール紙１０から記録紙１０ａを引き出した状態で開閉蓋ユニット３を閉じると、かかる記録紙搬送路に沿って記録紙１０ａがセットされた状態を自動的に形成できる。
【００３５】
（記録紙切断装置）
図４（ａ）、（ｂ）および（ｃ）は、本体ケース６および開閉蓋ケース７を取り去った状態のプリンタ本体２および開閉蓋ユニット３における主要部分を示す斜視図、平面図および側面図であり、記録紙切断装置２０が記録紙１０ａの切り始め前の状態にある場合を示してある。図５（ａ）〜（ｃ）は、記録紙切断装置２０が記録紙１０ａを途中まで切断した場合の状態を示す斜視図、平面図および側面図であり、図６（ａ）〜（ｃ）はその切り終わりの状態を示す斜視図、平面図および側面図である。
【００３６】
これらの図を参照して説明すると、プリンタ本体２は、プリンタ底面を規定しているベース板３１と、このベース板３１から一定の間隔で垂直に起立している左右の側板３２、３３と、これらの側板３２、３３の上端部分の間に架け渡したヘッド固定板３４とを備えている。ヘッド固定板３４の下面にサーマルヘッド１６が取り付けられている。左右の側板３２、３３の外側には、プリンタ上下方向に延びる旋回板３５、３６が配置されている。旋回板３５、３６は、その下端部が、側板３２の前端側下端部分に対して、支軸３７、３８（図においては支軸３７のみを示す。）を中心としてプリンタ前後方向に旋回可能な状態で支持されている。
【００３７】
旋回板３５は、当該支軸３７から後側に向けて斜め上方に延びている傾斜部分３５ａと、この上端からほぼ上方に延びている垂直部分３５ｂとを備えた形状をしている。垂直部分３５ｂには、上下二箇所の部位に長穴３５ｃ、３５ｄが形成されており、側板３２に取り付けたガイドピン３９、４０がこれらの長穴３５ｃ、３５ｄに摺動可能に差し込まれて、旋回板３５の前後方向への旋回範囲が規制されている。他方の旋回板３６も同一構成となっており、その図示および説明を省略する。
【００３８】
左右の旋回板３５、３６の上端は、ヘッド取付板３４より上側に位置しており、これらの間に、長方形の固定刃取付板４１がプリンタ幅方向に水平に架け渡されている。固定刃取付板４１には、プリンタ幅方向の両側の部位にプリンタ前後方向に延びるガイド用の長穴４１ａ、４１ｂが形成されている。同様に、そのプリンタ後端側における左側の部位から後方に突出している突出板部分にもガイド用の長穴４１ｃが形成されている。プリンタ本体２に取り付けられる本体ケース６における天板部分６ａの裏面には、これらの長穴４１ａ〜４１ｃに上側から差し込まれるガイドピン（図示せず）が形成されている。これらのガイドピンによって固定刃取付板４１の前後方向の移動が規制されている。
【００３９】
固定刃取付板４１における後端部分は、長穴４１ｃが形成されている以外の部位が下方に直角に折り曲げられた折り曲げ部４１ｄとなっている。この折り曲げ部４１ｄと、当該折り曲げ部４１ｄの右側端部（長穴４１ｃの反対側）の後方側に位置している側板３３の上端に形成したばね受け３３ａとの間には、圧縮状態で、固定刃押さえばね４２が配置されている。したがって、左右の旋回板３５、３６の上端に架け渡した固定刃取付板４１は前方に向けて常に所定のばね力で付勢されている。この固定刃取付板４１の前端部の裏面には、刃先２１ａが前向きの水平姿勢で、プリンタ幅方向に配列した固定刃２１が固定されている。
【００４０】
一方、プリンタ本体２の前側に取り付けられている開閉蓋ユニット３は、プリンタ幅方向に延びる前板部分５１と、この前板部分５１の左右の縁からプリンタ後方に直角に折れ曲がっている細い幅の側板部分５２、５３とを備えている。前板部分５１の前面は、プリンタ後方に向けて僅かに傾斜した傾斜面となっており、ここには、記録紙切断装置２０の可動刃２２が、刃先２２ａが上を向く姿勢でプリンタ幅方向に配列されている。前板部分５１の左側（側板部分５２側）の上端の角には支軸５４が固定されており、ここを中心として、可動刃２２が前板部分５１の前面に沿って上下方向に旋回可能である。ここで、可動刃２２の刃先２２ａにおける記録紙切り始め側の端部２２ｂが、固定刃２１の刃先２１ａにおける同一側の端部２１ｂに対して、予め前方から乗り上げた状態となっている。
【００４１】
この可動刃２２を上下に旋回させるための可動刃駆動機構２３は、前板部分５１に取り付けた駆動モータ２４と、当該駆動モータ２４によって減速歯車列２５を介して回転駆動されるウォーム２６と、このウォーム２６に噛み合っているウォームホィール２７を備えている。ウォームホィール２７には駆動ピン２８が取り付けられており、この駆動ピン２８が、可動刃２２に形成されている細長いピンガイド穴２９に摺動可能な状態で差し込まれている。
【００４２】
（記録紙切断装置の動作）
図４に示す状態からウォームホィール２７が矢印２７ａで示す方向に回転すると、駆動ピン２８を介して連結されている可動刃２２がその左側の端部の支軸５４を中心として上方に旋回する。可動刃２２の刃先２２ａは、その記録紙切り始め側の端部２２ｂが予め固定刃２１の刃先２１ａに乗り上げた状態となっている。したがって、可動刃２２が上方に旋回すると、可動刃の刃先２２ａと固定刃の刃先２１ａの当接位置が記録紙切り始め側の端から他方の記録紙切り終わり側の端に向けて移動する。
【００４３】
ここで、固定刃２１の刃先２１ａは、記録紙切り始め端から記録紙切り終わり端に向けて僅かにプリンタ前方に迫り出すように傾斜している。これに対して、可動刃２２の刃先２２ａは、プリンタ幅方向に延びている。よって、可動刃２２は、その刃先２２ａによって固定刃２１を後方に僅かに押し出しながら旋回することなる。固定刃２１は、全体として、支軸３７、３８を中心として略プリンタ前後方向に向かう円弧状の軌跡に沿って移動可能であり、常に、固定刃押さえばね４２によって前方に付勢されている。したがって、両刃先２１ａ、２２ａの当接位置が常に点接触状態となり、この当接位置が、可動刃２２の旋回に伴って記録紙切り始め端から記録紙切り終わり端に向けて移動する。このように両刃先２１ａ、２２ａの点接触位置が移動することに伴い、当該点接触位置にある記録紙１０ａの部位がプリンタ幅方向に向かって切断される。
【００４４】
ここで、本例の固定刃押さえばね４２は、固定刃２１における刃先２１ａの切り終わり端よりも外側に外れた位置において固定刃２１を付勢している。固定刃２１には、図５、図６に矢印Ｆ１、Ｆ２で示す力が作用している。固定刃２１の付勢位置が本例のような位置でなく、記録紙切り始め端と切り終わり端の間の位置している場合には、刃先２１ａ、２２ａの当接位置が当該付勢位置の前と後では、固定刃２１に作用する力Ｆ１、Ｆ２による回転モーメントの方向が逆向きとなり、切り換わり時に固定刃２１が付勢位置あるいは両刃の当接位置を中心として前後にずれるおそれがある。固定刃２１がこのように記録紙の切断途中においてがたつくと、切断線が乱れるなどの不具合が生ずる。本例では、付勢位置を切断範囲外の位置としてあるので、このような弊害の発生を防止できる。
【００４５】
（固定刃退避機構）
ここで、本例においては、開閉蓋ユニット３を開ける動作に連動して固定刃２１を付勢力に逆らってプリンタ後方側に退避させる固定刃退避機構が備わっている。図７を参照して本例の固定刃退避機構を説明する。図７（ａ）は開閉蓋ユニット３を開けた状態の斜視図であり、図７（ｂ）はその側面図である。本例の固定刃退避機構７０は、開閉蓋ユニット３の左側の側板部分５２の下端部に取り付けた係合ピン７１と、固定刃２１を支持している左側の旋回板３５の下端部分に取り付けた係合板ばね７２とを備えている。
【００４６】
係合ピン７１は、側板部分５２における回転支点３ａのほぼ後側の位置においてプリンタ幅方向に水平に突出している。係合板ばね７２は、旋回板３５の下端部からプリンタ下方および前方に傾斜した方向に延び、その下端部がプリンタ後方に折り曲げられて、係合ピン７１により下側から押し付けられる折り曲げ部７２ａとなっている。この折り曲げ部７２ａに対する係合ピン７１の当接位置は、旋回板３５の支軸３７よりも前方の位置とされている。
【００４７】
図４に示す閉じ位置にある開閉蓋ユニット３を開くと、図５および図６に示すように、係合ピン７１が支点３ａを中心として上方に旋回し、係合板ばね７２の折り曲げ部７２ａの下面部分を押し上げながら、当該下面部分に沿って摺動する。この結果、旋回板３５は、支軸３７を中心として下方に強制的に旋回させられ、その上端に取り付けた固定刃取付板４１に支持されている固定刃２１が全体として後退して、記録紙排出口５から遠ざかる。開閉蓋ユニット３が図７に示すように完全に開いた状態では、固定刃２１の刃先２１ａが、記録紙排出口５を規定している本体ケース６の天板部分６ａの先端縁部分から十分に後退した位置になる。よって、開閉蓋ユニット３を開けた状態において、操作者がロール紙１０の交換作業などを行う際に、指先などが固定刃２１の刃先２１ａに触れて怪我をするなどの弊害を防止できる。
【００４８】
（本実施の形態のロール紙プリンタの作用効果）
ロール紙プリンタ１では、プリンタ本体２の側に固定刃２１をほぼ水平に配置し、開閉蓋ユニット３の側に可動刃２２をほぼ垂直に配置してある。したがって、固定刃２１が取り付けられているプリンタ本体２の上端部分には、基本的に固定刃２１を水平に配置するためのスペースのみを確保すればよい。よって、固定刃２１および可動刃２２をプリンタ上下方向に沿って対向配置する場合に比べて、プリンタ本体２の上下方向の寸法の増加を抑制でき、高さ寸法が小さく、コンパクトなロール紙プリンタ１を実現できる。
【００４９】
また、ほぼ直交する方向から刃先２１ａ、２２ａを当接させているので、固定刃２１および可動刃２２に反りを付けることなく、適切な接触角度で両刃先の当接状態を形成できる。よって、両刃の製造が容易になり、それらの製造コストの低減および製造品質の向上を達成できる。
【００５０】
さらに、固定刃２１および可動刃２２は、それらの厚さ方向に重なった状態で両刃先２１ａ、２２ａが接触している場合とは異なり、ほぼ直交する方向から当接しているので、記録紙８ａの切断途中において可動刃２２が停止した場合などにおいても、相互に重なり合った状態で交差している固定刃２１および可動刃２２の係合によって、開閉蓋ユニット３を開けることができなくなるという不具合も生じない。
【００５１】
さらにまた、開閉蓋ユニット３の開き動作に連動してプリンタ本体２に取り付けられている固定刃２１が退避するので、開閉蓋ユニット３が開いた状態において、操作者の指先が固定刃２１の刃先２１ａに触れて怪我をしてしまうなどの弊害も回避できる。
【符号の説明】
【００５２】
１  サーマルプリンタ、２  プリンタ本体、３  開閉蓋ユニット、３Ａ  閉じ位置、３Ｂ開き位置、５  記録紙排出口、６  本体ケース、６ａ  天板部分、７  開閉蓋ケース、９  ロール紙収納部、１０  ロール紙、１５  プラテンローラ、１６サーマルヘッド、２０  記録紙切断装置、２１  固定刃、２１ａ  刃先、２２  可動刃、２２ａ  刃先、２３  可動刃駆動機構、３５、３６  旋回板、３７  支軸、４１  固定刃取付板、７０  固定刃退避機構、７１  係合ピン、７２  係合板ばね。
【図１】
2011194568.tif 000003
【図２】
2011194568.tif 000004
【図３】
2011194568.tif 000005
【図４】
2011194568.tif 000006
【図５】
2011194568.tif 000007
【図６】
2011194568.tif 000008
【図７】
2011194568.tif 000009
【手続補正書】
【提出日】平成23年7月27日(2011.7.27)
【手続補正１】
【補正対象書類名】特許請求の範囲
【補正対象項目名】全文
【補正方法】変更
【補正の内容】
【特許請求の範囲】
【請求項１】
プリンタ本体と、
このプリンタ本体に開閉可能に取り付けられている開閉蓋ユニットと、
前記プリンタ本体の側に取り付けられている固定刃、前記開閉蓋ユニットに取り付けら
れている可動刃、および前記開閉蓋ユニットに取り付けられている可動刃駆動機構を備え
た記録紙切断装置とを有し、
前記固定刃は、その刃先が向く第１方向および当該第１方向とは逆方向である第２方向
に移動可能な状態で前記プリンタ本体に取り付けられ、付勢部材によって前記第１方向に
付勢されており、
前記開閉蓋ユニットを閉じると、前記記録紙切断装置の前記可動刃および前記固定刃は
相互に直交する状態になり、前記付勢部材の付勢力によって前記可動刃の刃先は前記固定
刃の刃先に対して、それらの紙切り始め端の側において当接した状態になり、
前記可動刃駆動機構は、前記固定刃の刃先と前記可動刃の刃先の当接位置が、これらの
刃先における紙切り終わり端に向かって移動するように、前記可動刃を、その紙切り始め
側の端部を中心として旋回させるようになっており、
前記可動刃が旋回する際には、当該可動刃によって、前記固定刃が前記付勢部材による
付勢力に抗して前記第２方向に移動させられることを特徴とするプリンタ。
【請求項２】
請求項１において、
前記付勢部材による前記固定刃の付勢位置は、当該固定刃の刃先に沿った方向において
、当該固定刃の刃先における紙切り終わり端から外れた位置であり、前記可動刃および前
記固定刃による切断範囲から外れた位置であることを特徴とするプリンタ。
【請求項３】
請求項１または２において、
前記開閉蓋ユニットの開き動作に連動して、前記付勢部材の付勢力に抗して、前記固定
刃を前記第２方向に退避させる固定刃退避機構を有していることを特徴とするプリンタ。
【請求項４】
請求項１ないし３のうちのいずれかの項において、
前記開閉蓋ユニットは、その下端部を中心として、垂直に起立した閉じ位置からプリン
タ前方あるいは後方に所定角度だけ開いた開き位置まで開くことが可能であり、
前記記録紙切断装置の前記可動刃は、前記開閉蓋ユニットの上端部において、刃先が上
向きの垂直な姿勢でプリンタ幅方向に配列されており、
前記記録紙切断装置の前記固定刃は、前記開閉蓋ユニットの前記上端部に対峙する前記
プリンタ本体の上端部において水平な姿勢でプリンタ幅方向に配列されていることを特徴
とするプリンタ。
【手続補正３】
【補正対象書類名】明細書
【補正対象項目名】０００１
【補正方法】変更
【補正の内容】
【０００１】
本発明は紙切断装置において、特に、ロール紙プリンタ（ロール紙印刷用プリンタ）な
どのプリンタに関し、その寸法増加を招くことなく組み込むことのできる紙切断装置を備
えたプリンタに関するものである。
【手続補正４】
【補正対象書類名】明細書
【補正対象項目名】０００７
【補正方法】変更
【補正の内容】
【０００７】
本発明の課題は、このような点に鑑みて、小型でコンパクトな構成の鋏式の紙切断装置
が組み込まれているプリンタを提案することにある。
【手続補正５】
【補正対象書類名】明細書
【補正対象項目名】０００９
【補正方法】変更
【補正の内容】
【０００９】
上記の課題を解決するために、本発明のプリンタは、
プリンタ本体と、
このプリンタ本体に開閉可能に取り付けられている開閉蓋ユニットと、
前記プリンタ本体の側に取り付けられている固定刃、前記開閉蓋ユニットに取り付けら
れている可動刃、および前記開閉蓋ユニットに取り付けられている可動刃駆動機構を備え
た記録紙切断装置とを有し、
前記固定刃は、その刃先が向く第１方向および当該第１方向とは逆方向である第２方向
に移動可能な状態で前記プリンタ本体に取り付けられ、付勢部材によって前記第１方向に
付勢されており、
前記開閉蓋ユニットを閉じると、前記記録紙切断装置の前記可動刃および前記固定刃は
相互に直交する状態になり、前記付勢部材の付勢力によって前記可動刃の刃先は前記固定
刃の刃先に対して、それらの紙切り始め端の側において当接した状態になり、
前記可動刃駆動機構は、前記固定刃の刃先と前記可動刃の刃先の当接位置が、これらの
刃先における紙切り終わり端に向かって移動するように、前記可動刃をその紙切り始め側
の端部を中心として旋回させるようになっており、
前記可動刃が旋回する際には、当該可動刃によって、前記固定刃が前記付勢部材による
付勢力に抗して前記第２方向に移動させられることを特徴としている。
【手続補正６】
【補正対象書類名】明細書
【補正対象項目名】００１０
【補正方法】変更
【補正の内容】
【００１０】
本発明のプリンタにおいて、その記録紙切断装置は、固定刃と可動刃がほぼ直交する姿
勢で配置されているので、これらを対向配置する場合に比べて、これら両刃の設置スペー
スが少なくて済む。よって、全体として小型でコンパクトな記録紙切断装置を実現できる
。また、固定刃および可動刃を対向配置して、それらの刃先側の部分を厚さ方向に重ねた
状態（並び位置）で両刃先を当接させる場合には、両刃先が適切な接触角度で点接触状態
しながら記録紙を切断するために、固定刃および可動刃に対して、それらの刃先の方向に
沿って全体的に反りが生ずるように湾曲させる必要がある。本発明では、ほぼ直交する方
向から両刃先を点接触状態で押し当てるようにしているので、平坦な板状の固定刃および
可動刃を用いて、それらの刃先を適切な接触角度で接触させて記録紙を切断することがで
きる。よって、両刃に反りを入れる工程が不要となるので、製造コストも低減できる。
【手続補正７】
【補正対象書類名】明細書
【補正対象項目名】００１１
【補正方法】変更
【補正の内容】
【００１１】
また、本発明の記録紙切断装置は、前記固定刃は前記可動刃に対してほぼ直交する方向
に移動可能であり、当該固定刃は前記可動刃に向けて付勢部材によって付勢されているこ
とを特徴としている。すなわち、前記固定刃は、その刃先が向く第１方向および当該第１
方向とは逆方向である第２方向に移動可能な状態で前記プリンタ本体に取り付けられ、付
勢部材によって前記第１方向に付勢されており、前記開閉蓋ユニットを閉じると、前記記
録紙切断装置の前記可動刃および前記固定刃は相互に直交する状態になり、前記付勢部材
の付勢力によって前記可動刃の刃先は前記固定刃の刃先に対して、それらの紙切り始め端
の側において当接した状態になり、前記可動刃駆動機構は、前記固定刃の刃先と前記可動
刃の刃先の当接位置が、これらの刃先における紙切り終わり端に向かって移動するように
、前記可動刃をその紙切り始め側の端部を中心として旋回させるようになっており、前記
可動刃が旋回する際には当該可動刃によって前記固定刃が前記付勢部材による付勢力に抗
して前記第２方向に移動させられることを特徴としている。可動刃が固定刃にかじり付い
てしまうことを回避できるので、円滑な紙切断動作を確保できる。
【手続補正８】
【補正対象書類名】明細書
【補正対象項目名】００１２
【補正方法】変更
【補正の内容】
【００１２】
さらに、本発明の記録紙切断装置では、前記付勢部材による前記固定刃の付勢位置は、
当該固定刃の刃先に沿った方向において、当該固定刃の刃先における紙切り終わり端から
外れた位置であり、前記可動刃および前記固定刃による切断範囲から外れた位置であるこ
とを特徴としている。紙切り始め端から紙切り終わり端の間において固定刃を付勢してい
ると、両刃先による紙切断位置（両刃先の当接位置）が付勢位置の前か後かに応じて固定
刃に当初と逆向きの回転モーメントが発生する。このため、紙切断位置が付勢位置を通過
する際に固定刃にガタツキが発生し、切断線が乱れるなどの弊害が起きるおそれがある。
本発明ではこのような弊害が発生せずに、切断線に乱れが生ずることなく、紙を切断する
ことができる。
【手続補正９】
【補正対象書類名】明細書
【補正対象項目名】００１３
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】変更
【補正の内容】
【００１９】
次に、本発明のプリンタでは、前記開閉蓋ユニットの開き動作に連動して、前記付勢部
材の付勢力に抗して、前記固定刃を前記可動刃から離れる方向に退避させる固定刃退避機
構を有していることを特徴としている。開閉蓋ユニットを開けた場合に、プリンタ本体の
上端部に取り付けられている固定刃の刃先が露出状態になる。したがって、固定刃退避機
構によって固定刃を退避させることにより、その刃先に操作者の指が触れない状態を形成
できる。
【手続補正１３】
【補正対象書類名】明細書
【補正対象項目名】００２１
【補正方法】変更
【補正の内容】
【００２１】
本発明のプリンタに組み込まれている鋏式の記録紙切断装置では、その固定刃および可
動刃がほぼ直交する姿勢で配置され、それらの刃先が直交する方向から当接している。し
たがって、固定刃および可動刃を対向配置し、それらの厚さ方向から刃先を当接させてい
る従来の鋏式の記録紙切断装置に比べて、小型でコンパクトに構成できる。